(57)【要約】【課題】使い勝手を向上すること。【解決手段】１つの態様において、ヘッドマウントディスプレイであって、カートリッジを接続可能なインタフェース部と、前記カートリッジが前記インタフェース部に接続されると、前記カートリッジから取得するデータに基づくアプリケーションを実行する制御部とを有する。前記制御部は、前記アプリケーションの実行に際して相互接続が可能なエリア内に存在する他の装置の探索を実行し、探索した他の装置の中から、前記アプリケーションに関連する他の装置との通信接続を実行する。【選択図】図８
2017183825.tif 000002
【特許請求の範囲】
【請求項１】
ヘッドマウントディスプレイであって、
カートリッジを接続可能なインタフェース部と、
前記カートリッジが前記インタフェース部に接続されると、前記カートリッジから取得するデータに基づくアプリケーションを実行する制御部とを有し、
前記制御部は、前記アプリケーションの実行に際して相互接続が可能なエリア内に存在する他の装置の探索を実行し、探索した他の装置の中から、前記アプリケーションに関連する他の装置との通信接続を実行するヘッドマウントディスプレイ。
【請求項２】
前記制御部は、前記データに含まれるグループ識別子が一致する他の装置との通信接続を実行する請求項１に記載のヘッドマウントディスプレイ。
【請求項３】
前記制御部は、前記アプリケーションと同一のアプリケーションを実行準備中である他の装置との通信接続を実行する請求項１に記載のヘッドマウントディスプレイ。
【請求項４】
前記制御部は、通信接続された他の装置との間で、前記アプリケーションの実行タイミングを同期させる請求項２又は３に記載のヘッドマウントディスプレイ。
【請求項５】
前記制御部は、通信接続された他の装置との間で、前記アプリケーションの実行中に取得する情報を送受信する請求項２又は３に記載のヘッドマウントディスプレイ。
【請求項６】
前記カートリッジは、無線通信機能部を備え、
前記制御部は、前記インタフェース部に接続された前記カートリッジが備える無線通信機能部を介して、前記他の装置との通信接続を実行する請求項１に記載のヘッドマウントディスプレイ。
【発明の詳細な説明】
【技術分野】
【０００１】
本出願は、ヘッドマウントディスプレイに関する。
【背景技術】
【０００２】
従来、頭部装着型の表示装置がある。
【先行技術文献】
【特許文献】
【０００３】
【特許文献１】特開２０１２−２３１２５９号公報
【発明の概要】
【発明が解決しようとする課題】
【０００４】
上記表示装置は、さらなる使い勝手の向上が望まれている。
【課題を解決するための手段】
【０００５】
１つの態様に係るヘッドマウントディスプレイは、ヘッドマウントディスプレイであって、カートリッジを接続可能なインタフェース部と、前記カートリッジが前記インタフェース部に接続されると、前記カートリッジから取得するデータに基づくアプリケーションを実行する制御部とを有する。前記制御部は、前記アプリケーションの実行に際して相互接続が可能なエリア内に存在する他の装置の探索を実行し、探索した他の装置の中から、前記アプリケーションに関連する他の装置との通信接続を実行する。
【図面の簡単な説明】
【０００６】
【図１】図１は、実施形態に係るヘッドマウントディスプレイの外観の概略構成を示す図である。
【図２】図２は、実施形態に係るインタフェース部の設置位置の例を示す図である。
【図３】図３は、実施形態に係るインタフェース部の設置位置の例を示す図である。
【図４】図４は、実施形態に係るインタフェース部の開口方向の例を示す図である。
【図５】図５は、実施形態に係るインタフェース部の設置位置及び開口方向の他の例を示す図である。
【図６】図６は、実施形態に係るインタフェース部の設置位置及び開口方向の他の例を示す図である。
【図７】図７は、実施形態に係るシステムの全体構成の例を示す図である。
【図８】図８は、実施形態に係るヘッドマウントディスプレイの機能構成の例を示すブロック図である。
【図９】図９は、実施形態に係るシステムの処理の例を示す図である。
【図１０】図１０は、実施形態に係る接続処理の例を示すフローチャートである。
【図１１】図１１は、実施形態に係るヘッドマウントディスプレイの機能構成の他の例を示すブロック図である。
【発明を実施するための形態】
【０００７】
本出願に係るヘッドマウントディスプレイの実施形態を、図面を参照しつつ詳細に説明する。本出願に係るヘッドマウントディスプレイの利用者は、例えば、カートリッジをヘッドマウントディスプレイに接続して、カートリッジから特定のコンテンツをヘッドマウントディスプレイに読み込ませることにより、ヘッドマウントディスプレイを介して、種々のサービスの提供を受けることができる。ヘッドマウントディスプレイに接続可能なカートリッジは、ビジネスパーク、ショッピングセンター、ファッションビル、公園、アミューズメント施設、ハイテクパーク、住居用施設など、屋外、屋内を問わず、ヘッドマウントディスプレイを介してサービスを提供可能な種々の施設などから提供されてよい。
【０００８】
図１は、実施形態に係るヘッドマウントディスプレイの外観の概略構成を示す図である。図１に示すように、ヘッドマウントディスプレイ１は、眼鏡型の形状を有し、フロント部１ａ、蔓部１ｂ、蔓部１ｃ、及び支持部１ｄを備える。図１に示すヘッドマウントディスプレイ１の形状は一例に過ぎず、頭部装着型のウェアラブル端末としての機能を実現できれば、図１に示す形状には限定されない。
【０００９】
フロント部１ａは、表示部２ａ及び表示部２ｂの外周部の少なくとも一部を取り囲むように形成されている。フロント部１ａは、ヘッドマウントディスプレイ１の利用者がヘッドマウントディスプレイ１を装着したときに、利用者の眼前に配置される部分となる。支持部１ｄは、１対（図示せず）からなり、ヘッドマウントディスプレイ１の利用者がヘッドマウントディスプレイ１を装着したときに、利用者の鼻を挟み込むようにして接する。支持部１ｄは、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１０】
フロント部１ａには、撮像部３、撮像部４、検出部５、及び操作部６なども設置される。図１に示すフロント部１ａに設置される各部は一例に過ぎず、図１に示す例に限定されるものではない。
【００１１】
蔓部１ｂ及び蔓部１ｃは、同様の棒状の形状で形成される。蔓部１ｂ及び蔓部１ｃは、ヘッドマウントディスプレイ１の利用者がヘッドマウントディスプレイ１を装着したときに、利用者の側頭部に沿ってそれぞれ配置される部分となる。蔓部１ｂの一方の端部、及び蔓部１ｃの一方の端部は、それぞれ、ヒンジ（図示せず）を介して折り畳み自在にフロント部１ａに接続される部位となる。蔓部１ｂの他方の端部、及び蔓部１ｃの他方の端部は、それぞれ、ヘッドマウントディスプレイ１の利用者がヘッドマウントディスプレイ１を装着したときに、利用者の耳にあてがわれる部位となる。蔓部１ｂ及び蔓部１ｃも、支持部１ｄと同様に、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１２】
以下、図２〜図６を用いて、ヘッドマウントディスプレイが備えるインタフェース部の設置位置及び開口方向の例を説明する。図２及び図３は、実施形態に係るインタフェース部の設置位置の例を示す図である。図４は、実施形態に係るインタフェース部の開口方向の例を示す図である。図５及び図６は、実施形態に係るインタフェース部の設置位置及び開口方向の他の例を示す図である。
【００１３】
図２に示すように、ヘッドマウントディスプレイ１は、蔓部１ｂの端部のうちフロント部１ａに接続されていない端部付近１ｂ−１、及び蔓部１ｃの端部のうちフロント部１ａに接続されていない端部付近１ｃ−１に、インタフェース部をそれぞれ設置することができる。あるいは、図３に示すように、ヘッドマウントディスプレイ１は、蔓部１ｂの中央付近１ｂ−２及び蔓部１ｃの中央付近１ｃ−２にインタフェース部をそれぞれ設置することもできる。ヘッドマウントディスプレイ１は、例えば、フロント部１ａが、撮像部３、撮像部４、検出部５、及び操作部６などを備えることにより、蔓部１ｂ、１ｃに比べて重たい場合に、蔓部１ｂ（又は蔓部１ｃ）にカートリッジ１０００を接続させることで、当該蔓部１ｂ（又は１ｃ）の重さをフロント部１ａの重さに近づけることができ、装着感を向上させることができる。
【００１４】
また、インタフェース部を蔓部１ｂ及び蔓部１ｃに設置する場合、インタフェース部は、ヘッドマウントディスプレイ１の利用者Ｕ１（図４参照）に当該ヘッドマウントディスプレイ１が装着された状態であるときに鉛直方向下向きに開口している。このような構成により、ヘッドマウントディスプレイ１は、インタフェース部が有する開口部（外部に開口した部分）から粉塵等が入り込むことを防止できる。
【００１５】
図４を用いて、インタフェース部が開口している方向について説明する。図４に示す座標軸のｘ１軸、ｙ１軸、及びｚ１軸はそれぞれが互いに直交しているものとする。図４に示す例において、ヘッドマウントディスプレイ１のフロント部１ａの長手方向は、図４に示す座標軸のｘ１軸方向に平行な方向と一致しているものとする。インタフェース部は、カートリッジ１０００をヘッドマウントディスプレイ１に挿入して接続することが可能な向きに開口している。図４に示す例では、同図には明示されていないが、インタフェース部が、例えば、鉛直方向下向きの方向、すなわち、ｙ１軸の負の方向に平行な方向に開口されている。
【００１６】
ヘッドマウントディスプレイ１は、図２及び図３に示すように、蔓部１ｂ及び蔓部１ｃにインタフェース部をそれぞれ設置してもよいし、蔓部１ｂ及び蔓部１ｃのいずれか一方に設置してもよい。
【００１７】
図５を用いて、インタフェース部の設置位置及び開口方向の他の例を説明する。図５に示す座標軸のｘ２軸、ｙ２軸、及びｚ２軸はそれぞれが互いに直交しているものとする。図５に示す例において、ヘッドマウントディスプレイ１のフロント部１ａの長手方向は、図５に示す座標軸のｘ２軸方向に平行な方向と一致しているものとする。図５に示すように、ヘッドマウントディスプレイ１は、蔓部１ｃを完全に開いた状態のときに当該蔓部１ｃがフロント部１ａに対して接する位置である当該蔓部１ｃの合口部１ｃ−ｘにインタフェース部を設置することもできる。インタフェース部は、カートリッジ１０００を挿入して接続可能な状態で開口している。図５に示す例では、インタフェース部が、図５に示す座標軸のｚ２軸の正の方向に平行な方向に向かって開口している状態を示している。このような構成により、ヘッドマウントディスプレイ１は、蔓部１ｃを完全に開いた状態のときに、インタフェース部１０の開口部がフロント部１ａにより塞がれるため、カートリッジ１０００を外部の衝撃などから保護することができる。
【００１８】
また、図５に示す例において、ヘッドマウントディスプレイ１は、蔓部１ｂ（又は蔓部１ｃ）における、当該蔓部１ｂ（又は蔓部１ｃ）の長手方向に開口されている開口部を有するものとして規定されてもよい。
【００１９】
図６を用いて、インタフェース部の設置位置及び開口方向の他の例を説明する。図６に示す座標軸のｘ３軸、ｙ３軸、及びｚ３軸はそれぞれが互いに直交しているものとする。図６に示す例において、ヘッドマウントディスプレイ１のフロント部１ａの長手方向は、図６に示す座標軸のｘ３軸方向に平行な方向と一致しているものとする。図６に示すように、ヘッドマウントディスプレイ１は、フロント部１ａにおける利用者の顔面に対面する領域１ａ−１にインタフェース部を設置することもできる。インタフェース部は、カートリッジ１０００を挿入して接続可能な状態で開口している。図６に示す例では、インタフェース部が、図６に示す座標軸のｚ３軸の正の方向に平行な方向に向かって開口している状態を示している。このような構成により、ヘッドマウントディスプレイ１は、カートリッジ１０００がインタフェース部に接続された状態で、当該カートリッジ１０００を外部の衝撃などから保護することができる。
【００２０】
図７は、実施形態に係るシステムの全体構成の例を示す図である。図７に示すように、実施形態に係るシステム５００は、ヘッドマウントディスプレイ１と、施設サーバ１００と、ヘッドマウントディスプレイ２００とを含んで構成される。ヘッドマウントディスプレイ１、施設サーバ１００、及びヘッドマウントディスプレイ２００は、通信ネットワーク５０を介して、相互に通信可能な状態で接続される。施設サーバ１００は、ヘッドマウントディスプレイ１及びヘッドマウントディスプレイ２００に接続可能なカートリッジを施設の利用者に貸与する施設に設置される装置である。ヘッドマウントディスプレイ１及びヘッドマウントディスプレイ２００は、施設サーバ１００が設置される施設の利用者がそれぞれ装着している装置である。
【００２１】
図８は、実施形態に係るヘッドマウントディスプレイの機能構成の例を示すブロック図である。ヘッドマウントディスプレイ１及びヘッドマウントディスプレイ２００は、同様の機能構成を有するので、以下では、ヘッドマウントディスプレイ１について説明する。
【００２２】
図８に示すように、ヘッドマウントディスプレイ１は、表示部２ａ、表示部２ｂ、撮像部３、撮像部４、検出部５、操作部６、通信部７、記憶部８、制御部９、及びインタフェース部１０を備えて構成される。
【００２３】
表示部２ａ及び表示部２ｂは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネルなどの半透過または透過の表示デバイスを有することができる。表示部２ａ及び表示部２ｂは、制御部９から入力される制御信号に従って各種の情報を表示する。表示部２ａ及び表示部２ｂは、レーザ光線等の光源を用いて利用者の網膜に画像を投影する投影装置であってもよい。
【００２４】
撮像部３及び撮像部４は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、或いはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサを用いて電子的に画像を撮像する。撮像部３及び撮像部４は、撮像した画像を信号に変換して制御部９へ出力する。撮像部３は、例えば、ヘッドマウントディスプレイ１を装着した利用者の前景を撮影するアウトカメラである。撮像部４は、例えば、ヘッドマウントディスプレイ１を装着した利用者を撮影するインカメラである。
【００２５】
検出部５は、種々の検出を実行する。検出部５は、可視光、赤外線、紫外線、電波、音波、磁気、静電容量の少なくとも１つを用いて、検出対象、及び検出対象の状態変化などを検出できる。検出対象は、静止物、移動物、生物、及び非生物を含む。
【００２６】
操作部６は、ヘッドマウントディスプレイ１の起動、停止、動作設定を含む各種設定の変更などの操作入力を利用者から受け付ける。操作部６は、利用者から受け付けた操作入力を信号に変換して制御部９へ出力する。
【００２７】
通信部７は、他の装置との間で通信できる。通信部７は、例えば、所定の通信プロトコルを用いて、他のヘッドマウントディスプレイ、あるいは施設内に設置される施設サーバなどとの間でやり取りされる各種情報を送受信できる。通信部７は、他のヘッドマウントディスプレイとの間で通信接続できる。通信部７は、近距離無線の通信規格の１つ又は複数をサポートできる。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。
【００２８】
記憶部８は、プログラム及びデータを記憶する。記憶部８に記憶されるプログラムには制御プログラム８０が含まれる。記憶部８に記憶されるアプリケーションには、施設アプリケーション８１が含まれる。記憶部８に記憶されるデータには制御用データ８２、カートリッジデータ８３、施設サーバデータ８４、及びグループ共有データ８５が含まれる。
【００２９】
記憶部８は、制御部９の処理結果を一時的に記憶する作業領域として利用されてもよい。記憶部８は、半導体記憶媒体、及び磁気記憶媒体等の任意の非一過的（ｎｏｎ−ｔｒａｎｓｉｔｏｒｙ）な記憶媒体で構成されてよい。記憶部８は、複数の種類の記憶媒体を含んでよい。記憶部８は、メモリカード、光ディスク、又は光磁気ディスク等の記憶媒体と、記憶媒体の読み取り装置との組み合わせを含んでよい。記憶部８は、ＲＡＭ（Ｒａｎｄｏｍ  Ａｃｃｅｓｓ  Ｍｅｍｏｒｙ）などの一時的な記憶領域として利用される記憶装置を含んでよい。記憶部８に記憶されるプログラムには、アプリケーションの動作を支援するプログラム（図示略）が含まれてよい。記憶部８に記憶されるプログラム、アプリケーション及びデータは、無線通信あるいは有線通信によって施設サーバ１００などの他の装置から取得されてよい。
【００３０】
制御プログラム８０は、ヘッドマウントディスプレイ１の各種制御に関する機能を提供する。制御プログラム８０が提供する機能には、検出処理部８０ａ、表示制御部８０ｂ、及び接続処理部８０ｃが含まれる。
【００３１】
検出処理部８０ａは、検出部５の検出結果に基づいて、ヘッドマウントディスプレイ１の各種制御を実行するための機能を提供する。表示制御部８０ｂは、表示部２ａ及び表示部２ｂの表示制御を実行するための機能を提供する。接続処理部８０ｃは、施設アプリケーション８１と連携し、インタフェース部１０に接続されるカートリッジ１０００から取得する情報に基づいて、ヘッドマウントディスプレイ２００などの他の装置と通信可能な状態でワイヤレス接続（以下、相互接続）する処理を実現するための機能を提供する。接続処理部８０ｃが提供する機能には、相互接続が可能な状態に遷移させる機能、他の機器を接続相手として選択（以下、ペアリング）する機能、ペアリングした機器と相互接続する処理を実行する機能などが含まれる。接続処理部８０ｃが提供するペアリングする機能には、カートリッジデータ８３に含まれるグループ識別子が同一である他の機器とペアリングする機能が含まれる。
【００３２】
施設アプリケーション８１は、例えば、ヘッドマウントディスプレイ１の利用者が、ヘッドマウントディスプレイ１を介して、施設内に設置される設備及び機器などを利用するための機能を提供するアプリケーションである。例えば、アミューズメントパークである場合、アミューズメントパークの地図などのアミューズメントパークに関する各種情報を表示したり、アミューズメントパーク内に設置される各種アトラクションで遊戯する際の動画像及び音声などを出力したりするためのアプリケーションに該当する。施設アプリケーション８１は、施設内に設置される設備及び機器が複数存在する場合、設備及び機器のそれぞれに対応するアプリケーションを含むアプリケーションセットとして構成されてよい。施設アプリケーション８１は、インタフェース部１０に接続されたカートリッジ１０００から取得されてよい。
【００３３】
制御用データ８２は、制御プログラム８１により提供される機能により実行されるヘッドマウントディスプレイ１の各種制御に用いられるデータである。
【００３４】
カートリッジデータ８３は、インタフェース部１０に接続されたカートリッジ１０００から取得されたデータである。カートリッジデータ８３は、グループ識別子及び施設アプリケーション参照用データなどを含む。グループ識別子は、施設アプリケーション８１の実行に際して、相互接続するヘッドマウントディスプレイを特定するために用いられる。例えば、アミューズメントパークである場合、グループ識別子は、グループ単位でゲームが進行されるアトラクションにおいて、ヘッドマウントディスプレイ１と同一のアトラクションを遊戯する他のヘッドマウントディスプレイとを相互接続するために利用される。施設アプリケーション参照用データは、施設アプリケーション８１により実行される処理において用いられる。例えば、アミューズメントパークである場合、施設アプリケーション参照用データは、施設アプリケーション８１が、アトラクションにおけるゲームの進行に応じて、動画像及び音声などのコンテンツをヘッドマウントディスプレイ１に出力するために用いられる。施設アプリケーション参照用データは、施設内に設置される設備及び機器それぞれに対応するアプリケーションを含むアプリケーションセットとして構成される場合、各アプリケーションに対応するデータを含むデータセットとして構成されてよい。
【００３５】
施設サーバデータ８４は、施設サーバ１００から提供されるデータである。例えば、アミューズメントパークである場合、施設サーバデータ８４は、施設アプリケーション８１が、カートリッジ１０００から取得される以外のアミューズメントパークに関する各種情報をヘッドマウントディスプレイ１に表示させるために用いられる。
【００３６】
グループ共有データ８５は、相互接続された他のヘッドマウントディスプレイとの間で必要に応じて共有されるデータである。例えば、アミューズメントパークである場合、グループ共有データ８５は、ゲームの進行に応じて、相互接続された他のヘッドマウントディスプレイとの間で送受信されるゲームの進行に関するデータである。
【００３７】
制御部９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んで構成されてよいが、これらを含んで構成される場合に限定されない。制御部９は、ヘッドマウントディスプレイ１の動作を統括的に制御して各種の機能を実現する。具体的には、制御部９は、記憶部８に記憶されている制御用データ８２を必要に応じて参照しつつ、記憶部８に記憶されている制御プログラム８０に含まれる命令を実行することにより、ヘッドマウントディスプレイ１の各種制御を実現する。
【００３８】
例えば、制御部９は、制御プログラム８０を実行することにより、施設アプリケーション８１と連携し、インタフェース部１０に接続されるカートリッジ１０００から取得する情報に基づいて、ヘッドマウントディスプレイ２００などの他の装置と通信可能な状態で相互接続する処理を実現する。
【００３９】
インタフェース部１０は、カートリッジ１０００を接続可能な状態で開口している。インタフェース部１０は、カートリッジ１０００が接続されると、カートリッジ１０００が接続された旨を制御部９に通知するための接続検知信号を制御部９へ出力する。インタフェース部１０は、接続されたカートリッジ１０００から、カートリッジ１０００に記憶されているデータを取得し、取得したデータを制御部９へ出力する。
【００４０】
図９及び図１０を用いて、実施形態に係る処理について説明する。図９は、実施形態に係るシステムの処理の例を示す図である。図１０は、実施形態に係る接続処理の例を示すフローチャートである。
【００４１】
図９を用いて、実施形態に係るシステムの処理の例を説明する。図９は、ヘッドマウントディスプレイ１及びヘッドマウントディスプレイ２００の各利用者が、アミューズメントパーク内に設置されたアトラクションのうち、グループ単位でゲームが進行される同一のアトラクションに入館したときの処理の例を示す。
【００４２】
図９に示すように、施設サーバ１００は、アトラクション参加者数を計数する（ステップＳ１０１）。
【００４３】
ヘッドマウントディスプレイ１は、カートリッジ１０００の接続を検出する（ステップＳ１０２）。同様に、ヘッドマウントディスプレイ２００は、カートリッジ１０００の接続を検出する（ステップＳ１０３）。
【００４４】
カートリッジ１０００の接続を検出後、ヘッドマウントディスプレイ１は、カートリッジ１０００の読込を実行する（ステップＳ１０４）。同様に、カートリッジ１０００の接続を検出後、ヘッドマウントディスプレイ２００は、カートリッジ１０００の読込を検出する（ステップＳ１０５）。
【００４５】
カートリッジ１０００の読込後、ヘッドマウントディスプレイ１は、アトラクションとの連携を準備する（ステップＳ１０６）。同様に、カートリッジ１０００の読込後、ヘッドマウントディスプレイ２００は、アトラクションとの連携を準備する（ステップＳ１０７）。アトラクションの開始準備は、例えば、施設アプリケーション８１から該当アトラクションに対応するアプリケーション、及び当該アプリケーションを実行するためのデータを予め読み込むことを含む。該当アトラクションは、ヘッドマウントディスプレイ１及びヘッドマウントディスプレイ２００の利用者が入館したアトラクションに対応する。
【００４６】
ヘッドマウントディスプレイ１は、相互接続処理を実行する（ステップＳ１０８）。同様に、ヘッドマウントディスプレイ２００は、相互接続処理を実行する（ステップＳ１０９）。図９に示すように、ヘッドマウントディスプレイ１及びヘッドマウントディスプレイ２００を相互接続する場合、例えば、ヘッドマウントディスプレイ１から相互接続の処理を行ってもよいし、ヘッドマウントディスプレイ２００から相互接続の処理を行ってもよい。ヘッドマウントディスプレイ１及びヘッドマウントディスプレイ２００を相互接続する場合、ヘッドマウントディスプレイ１及びヘッドマウントディスプレイ２００を予め相互接続可能な状態であることを前提とする。例えば、該当アトラクションがグループ単位でゲームが進行されるアトラクションである場合には、施設アプリケーション８１から該当アトラクションに対応する処理を特定した時点で、ヘッドマウントディスプレイ１及びヘッドマウントディスプレイ２００の利用者がそれぞれ相互接続を可能な状態に遷移させる操作を実行してもよいし、ヘッドマウントディスプレイ１及びヘッドマウントディスプレイ２００が自動的に相互接続可能な状態に遷移する構成としてもよい。
【００４７】
相互接続処理完了後、ヘッドマウントディスプレイ１は、準備完了通知を施設サーバ１００へ送信する（ステップＳ１１０）。同様に、相互接続処理完了後、ヘッドマウントディスプレイ２００は、準備完了通知を施設サーバ１００へ送信する（ステップＳ１１１）。
【００４８】
施設サーバ１００は、アトラクションの実行準備が完了したかを判定する準備完了判定処理を実行する（ステップＳ１１２）。施設サーバ１００は、例えば、ステップＳ１０１で計数したアトラクションの参加者数と、準備完了通知の数とを比較して、アトラクションの参加者数と準備完了通知の数が参加者数と同数であれば、アトラクションの実行準備が完了したものと判定できる。
【００４９】
判定の結果、アトラクションの実行準備が完了している場合、施設サーバ１００は、ヘッドマウントディスプレイ１及びヘッドマウントディスプレイ２００に対して、それぞれアトラクション開始通知を送信する（ステップＳ１１３）。
【００５０】
ヘッドマウントディスプレイ１は、施設サーバ１００からアトラクション開始通知を受信すると、アトラクションに対応する処理を開始する（ステップＳ１１４）。同様に、ヘッドマウントディスプレイ２００は、施設サーバ１００からアトラクション開始通知を受信すると、アトラクションに対応する処理を開始する（ステップＳ１１５）。
【００５１】
図１０を用いて、実施形態に係る接続処理を説明する。図１０は、ヘッドマウントディスプレイ１からヘッドマウントディスプレイ２００に対して接続を行う場合の処理の例を示す。
【００５２】
図１０に示すように、ヘッドマウントディスプレイ１は、ワイヤレス接続が可能なエリア内に存在するヘッドマウントディスプレイを探索する（ステップＳ２０１）。
【００５３】
続いて、ヘッドマウントディスプレイ１は、ステップＳ２０１で探索したヘッドマウントディスプレイの一覧を表示部２ａ及び表示部２ｂの少なくとも一方の表示する（ステップＳ２０２）。ステップＳ２０２において、ヘッドマウントディスプレイ１は、ステップＳ２０１で検索したヘッドマウントディスプレイの一覧を表示する際、ヘッドマウントディスプレイ１とグループ識別子が同一であるヘッドマウントディスプレイがいずれであるかを、ヘッドマウントディスプレイ１の利用者から視認可能な状態で表示する。
【００５４】
続いて、ヘッドマウントディスプレイ１は、ペアリングが完了したかを判定する（ステップＳ２０３）。例えば、ヘッドマウントディスプレイ１は、ステップＳ２０２で表示したヘッドマウントディスプレイの一覧の中から、相互接続するヘッドマウントディスプレイの選択を、ヘッドマウントディスプレイ１の利用者から受け付けたかを判定する。
【００５５】
ヘッドマウントディスプレイ１は、判定の結果、ペアリングが完了していない場合（ステップＳ２０３，Ｎｏ）、ステップＳ２０３の判定を繰り返す。これとは反対に、ヘッドマウントディスプレイ１は、判定の結果、ペアリングが完了した場合（ステップＳ２０３，Ｙｅｓ）、ペアリングされたヘッドマウントディスプレイとの相互接続を実行し（ステップＳ２０４）、図１０に示す処理を終了する。
【００５６】
上記ステップＳ２０２において、ヘッドマウントディスプレイ１は、ステップＳ２０１で探索したヘッドマウントディスプレイの一覧を表示する際、ヘッドマウントディスプレイ１とグループ識別子が同一であるヘッドマウントディスプレイのみを表示してもよい。ヘッドマウントディスプレイ１とグループ識別子が同一であるヘッドマウントディスプレイのみを表示する場合、ヘッドマウントディスプレイ１は、利用者からの接続指示に応じて、ステップＳ２０４の相互接続を実行できる。
【００５７】
上述の実施形態では、ヘッドマウントディスプレイ１は、例えば、グループ識別子が同一である他のヘッドマウントディスプレイとの通信が可能な状態に相互接続する。このため、上述の実施形態によれば、例えば、グループ単位でゲームが進行されるアトラクションにおいて、ヘッドマウントディスプレイ１の使い勝手を向上できる。
【００５８】
上述の実施形態では、ヘッドマウントディスプレイ１は、例えば、施設サーバ１００から送信されたアトラクション開始通知の受信に応じて、アトラクションに対応する処理を開始することにより、相互接続した他のヘッドマウントディスプレイとの間でアトラクションの処理の開始タイミングを同期させる。このため、上述の実施形態によれば、例えば、グループ単位でゲームが進行されるアトラクションにおいて、ヘッドマウントディスプレイ１の使い勝手を向上できる。
【００５９】
上述の実施形態では、ヘッドマウントディスプレイ１は、相互接続された他のヘッドマウントディスプレイとの間で、ゲームの進行に応じて送受信されるゲームに関するデータをグループ共有データ８５として記憶する。このため、上述の実施形態によれば、例えば、グループ単位でゲームが進行されるアトラクションにおいて、ヘッドマウントディスプレイ１の使い勝手を向上できる。
【００６０】
上述の実施形態では、ヘッドマウントディスプレイ１が、グループ識別子が同一である他のヘッドマウントディスプレイと相互接続する例を説明したが、この例に限定されるものではなく、例えば、同一のアプリケーションを実行準備中である他のヘッドマウントディスプレイと相互接続してもよい。ヘッドマウントディスプレイ１は、相互接続可能な他のヘッドマウントディプレイとの間で、実行準備中であるアプリケーションのやり取りすることにより、相互接続可能な他のヘッドマウントディスプレイの中から、同一のアプリケーションを実行準備中であるヘッドマウントディスプレイを特定できる。
【００６１】
図１１は、実施形態に係るヘッドマウントディスプレイの機能構成の他の例を示すブロック図である。上述の実施形態において、ヘッドマウントディスプレイ１は、例えば、図１１に示すように、接続されるカートリッジ１０００が備える無線通信機能部１００１を介して、他のヘッドマウントディスプレイと相互接続してもよい。
【００６２】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００６３】
１  ヘッドマウントディスプレイ
２ａ，２ｂ  表示部
３，４  撮像部
５  検出部
６  操作部
７  通信部
８  記憶部
９  制御部
１０  インタフェース部
５０  通信ネットワーク
１００  施設サーバ
２００  ヘッドマウントディスプレイ
５００  システム
１０００  カートリッジ
１００１  無線通信機能部
【図１】
2017183825.tif 000003
【図２】
2017183825.tif 000004
【図３】
2017183825.tif 000005
【図４】
2017183825.tif 000006
【図５】
2017183825.tif 000007
【図６】
2017183825.tif 000008
【図７】
2017183825.tif 000009
【図８】
2017183825.tif 000010
【図９】
2017183825.tif 000011
【図１０】
2017183825.tif 000012
【図１１】
2017183825.tif 000013